(57)【要約】【課題】  土壁などの補強作用や亀裂発生防止作用を発揮するすさの原料として、稲藁、化学繊維、ガラス繊維に加えて、竹材の主茎部分や枝部分を原料として生産される竹繊維質を新たに提供する。【解決手段】  本考案のすさは、竹材の主茎部分１及び枝部分２を原料とする乾燥した竹繊維質の集合でなる。竹繊維質の単繊維長さは１〜６０ｍｍ、場合によっては１〜３０ｍｍであることが望ましい。竹繊維質に着色処理された単繊維を含ませることも可能である。【選択図】        図１
0003119014.tif 000002
【実用新案登録請求の範囲】
【請求項１】
竹材の主茎部分及び枝部分を原料とする乾燥した竹繊維質の集合でなることを特徴とするすさ。
【請求項２】
上記竹繊維質の単繊維長さが１〜６０ｍｍである請求項１に記載したすさ。
【請求項３】
上記竹繊維質の単繊維長さが１〜３０ｍｍである請求項１に記載したすさ。
【請求項４】
上記竹繊維質に着色処理された単繊維が含まれている請求項１ないし請求項３に記載したすさ。
【考案の詳細な説明】
【技術分野】
【０００１】
本考案は、土層やコンクリート層、ＦＲＰ層といった壁などの用途に用いられる層状物の補強やひび割れ防止などの目的で主材中に混入されるすさに関する。
【背景技術】
【０００２】
「すさ」は古来より塗り土壁の補強や亀裂防止、曲げ強度を向上させるための混入材として用いられており、コンクリートやモルタル、ガラス、ＦＲＰその他の防水材、屋根材などに混入することによって、それらを補強や亀裂防止を図り得ることが知られている。
【０００３】
従来、この種のすさには、稲藁や化学繊維、ガラス繊維などが主に用いられていた。
【０００４】
その一方で、筍や竹の根元から発生する竹の皮を有効利用する方法として、竹の皮を解繊して得た竹繊維を無機質系の建築板や土壁などの建築用材料の補強繊維とすることが提案されている（特許文献１参照）。
【０００５】
【特許文献１】特開２００３−１６６１３７号公報
【考案の開示】
【考案が解決しようとする課題】
【０００６】
しかしながら、稲藁については、現今の状況下で藁の数量自体が不足しているだけでなく、灰汁抜きなどの手間のかかる前処理が必要であることなどに起因して価格が高騰しているという好ましくない実情がある。また、化学繊維については、上記した稲藁のような天然物を用いる場合に比べて非健康的であるほか、土壁のすさとして用いる場合に土主材との馴染み性に乏しいということが云える。ガラス繊維についても化学繊維の場合と同様のことが云える。
【０００７】
一方、特許文献１によって提案されている技術は、建築用材料の補強繊維として竹の皮を用いるというものであり、その竹の皮は筍や竹の根元から採取されるものに限られている。このことから、特許文献１によって提案されているものは、竹の主茎部分を使用対象外としているために、使用対象である竹の皮をいつでも容易に十分な量だけ入手することができるとは限らないということが云える。
【０００８】
本考案は以上の状況の下で鋭意研究を重ねた結果なされたものであり、すさの原料として、特許文献１によって提案されているような筍や竹の根元の竹の皮を用いるものではなく、竹材の主茎部分に着目してその主茎部分や枝部分をすさとして利用することのできる手段を提案することを目的としている。
【０００９】
また、本考案は、いつでも容易に十分な量を入手することが可能であるために安価に提供でき、しかも、土やコンクリートなどの主材に対する馴染み性に優れ、住宅の壁などの補強や亀裂防止のために用いた場合にも人の健康を損なうおそれのないすさを提供することを目的としている。
【００１０】
さらに、本考案は、住宅の壁などの補強や亀裂防止に役立つだけでなく、その壁面の意匠性を高めることにも役立つすさを提供することを目的とする。
【課題を解決するための手段】
【００１１】
本考案に係るすさは、竹材の主茎部分及び枝部分を原料とする乾燥した竹繊維質の集合でなる。ここで、竹繊維質には、単繊維でなる繊維質や数本の単繊維が集まった単繊維結合体などが含まれる。竹材の主茎部分は、特許文献１によって示されている筍や竹の根元の皮を含まない竹の本体部分、すなわち節を備えて竹の枝などが分岐している竹の本体を形成している部分である。そのため、この考案に係るすさの原料を、四季を問わずいつでも容易に必要量を入手することが可能である。
【００１２】
本考案では、竹繊維質の単繊維長さが１〜６０ｍｍであることが望ましく、この範囲の長さを有する竹繊維質の単繊維は、土壁に混入することによって土壁を補強してその強度を増大させ、亀裂を生じにくくすることに役立つというすさ本来の機能を十分に発揮する。一般的には、この範囲内で単繊維長さを変更したり、混入量を変更することによって補強作用や亀裂発生防止作用を変化させることができる。また、土壁などで構築される躯体（下地）の大きさによって単繊維長さを変更することが望ましく、大きな躯体の場合には単繊維長さを長くし、小さな躯体の場合には単繊維長さを短くすることが、補強作用や亀裂発生防止作用を発揮させる上で好ましい。さらに、躯体表面の意匠性を考慮した場合、単繊維長さが長すぎると、躯体表面に露出する単繊維が目立って見苦しくなる場合も考えられる。
【００１３】
そこで、躯体表面の意匠性を考慮した場合において、躯体表面に露出する単繊維が目立なくさせるためには、竹繊維質の単繊維長さを１〜３０ｍｍ程度に定めることが望ましい。特に、単繊維長さを１．２〜３０ｍｍ程度にしておくと、躯体表面に露出する単繊維がほとんど目立たなくなることが判っている。
【００１４】
本考案に係るすさを使用した土壁は、住宅の室内や室外を問わず、あらゆる建造物に使用することができるけれども、好ましい用途としては、和風建築物の壁として用いることによって和風独特の雰囲気が醸し出される。
【００１５】
本考案においては、上記竹繊維質に着色処理された単繊維が含まれているものであってもよい。この考案のように竹繊維質に着色処理された単繊維が含まれていると、その単繊維が壁の表面に露出して壁全体の色合いが単繊維の着色に見合う色に着色されたり壁表面に色付き模様が具現したりする。そのため、壁の装飾性を高めて人の好みに合わせることが可能になる。単繊維の着色は、竹材の主茎部分や枝部分を単繊維に解繊する前に製作した竹片を染色することによって可能になるほか、竹片を燻蒸することによっても可能になる。
【考案の効果】
【００１６】
以上のように、本考案によれば、土壁やその他のコンクリート、モルタル、ガラス、ＦＲＰ防水材、屋根材などの層状物の補強作用や亀裂発生防止作用を発揮するすさの原料として、古来より採用されている稲藁や、近時採用されるようになった化学繊維及びガラス繊維に加えて、竹材の主茎部分や枝部分を原料として生産される竹繊維質を新たに提供することが可能になるだけでなく、その層状物に対する馴染み性に優れた天然物でなるすさを提供することが可能になる。
【００１７】
特に、本考案のすさは、特許文献１によって提案されているような筍や竹の根元の竹の皮を用いるものではなく、竹材の主茎部分に着目してその主茎部分や枝部分を解繊して得られる竹繊維質をすさとして利用するものであるので、四季を問わずにいつでも容易に十分な量を入手することが可能になり、そのことが、上記効果の得られるすさを安価に提供することに役立つ。さらに、住宅の内壁や外壁などに混入しておいても、上記した化学繊維やガラス繊維のように人の健康を損なうといったおそれがないという利点を有している。その他にも、本考案に係るすさは、壁に混入しておくことにより壁面の意匠性を高めることにも役立てることができるという利点がある。
【考案を実施するための最良の形態】
【００１８】
本考案に係るすさは、竹材の主茎部分及び枝部分を原料とする乾燥した竹繊維質の集合でなる。竹材は竹林で伐採することによって入手することができる。竹材の主茎部分は、特許文献１によって示されている筍や竹の根元の皮を含まない竹の本体部分、すなわち節を備えて竹の枝などが分岐している竹の本体を形成している部分である。また、枝部分は、主茎部分から分岐している部分である。竹は１年足らずで成育する植物であるので、四季を問わずに入手することができ、その量も容易にかつ十分に確保することができる。
【００１９】
図１には竹材を示していて、１は主茎部分、２は枝部分であり、この実施形態では、それらの主茎部分１や枝部分２を材料としてすさの原料となる竹繊維質を製造する。
【００２０】
図２にはすさの原料として用いられる竹繊維質の単繊維３を説明的に示してある。竹繊維質は、たとえば、竹林から伐採した竹材の主茎部分１や枝部分２を取り扱いやすい長さに切って竹片とし、その竹片を水洗いした後に乾燥し、乾燥した竹片を、粉砕、破砕、爆砕、打砕、切削、圧砕などの公知の手段を採用して解繊することによって得られる。また、竹繊維質の製造工程中には、必要に応じて、不要な竹粉を篩落として取り除くという分篩も含まれる。
【００２１】
すさの使用対象が土壁である場合には、竹材の主茎部分１や枝部分２を解繊することによって得られた竹繊維質の単繊維３の長さＬを１〜６０ｍｍに揃えることが望ましく、すさとして用いられる竹繊維質の集合に含まれる単繊維３の長さの分布状況は、土壁の大きさなどによって適切に選定すべきであり、たとえば、大きな土壁のすさとして用いるときには、長い単繊維３を多く含むような分布状況を採用し、小さな土壁のすさとして用いるときには、短い単繊維３を多く含むような分布状況を採用することが考えられる。単繊維長さＬが１ｍｍよりも短いと、補強作用や亀裂発生防止作用を得にくくなり、その逆に、単繊維長さＬが６０ｍｍより長いと、補強作用や亀裂発生防止作用を高めやすいけれども、その反面で、土壁の表面に長いすさが露出して見栄えが極端に低下したりしやすい。たとえば、土壁などの躯体表面の意匠性を考慮した場合、単繊維長さが長すぎると、躯体表面に露出する単繊維が目立って見苦しくなる場合も考えられる。
【００２２】
特に、単繊維長さを１．２〜３０ｍｍ程度にしておくと、躯体表面に露出する単繊維がほとんど目立たなくなる。その結果、この範囲内で単繊維３の長さの分布状況を適切に定めておくと、たとえば、土壁では、その表面でのすさの露出量が少なくなって表面平滑性が高くなる。
【００２３】
土壁などの躯体でのすさの混入量は、一義的に定めることは困難であり、混入量が多いとしっかりとした強固な躯体が得られて、その躯体がばらばらに崩れるおそれが少なくなる。その反面、混入量が少ないと躯体の強度が低下する。したがって、一般的に、大形の躯体では混入量を増やし、小形の躯体では混入量を少なくするという手法を採用することが可能である。
【００２４】
竹繊維質の集合でなるすさは、住宅の室内や室外を問わず、あらゆる建造物に使用することができるけれども、好ましい用途としては、和風建築物の壁としての用途があり、その用途に用いることによって和風独特の雰囲気を醸し出しやすいという長所が得られる。
【００２５】
竹繊維質に着色処理された単繊維３を含ませると、着色された単繊維３が壁の表面に露出して壁全体の色合いが単繊維３の着色に見合う色に着色されたり壁表面に色付き模様が具現したりする。このことを利用することにより、壁の装飾性を高めて人の好みに合わせることが可能になる。単繊維の着色は、竹材の主茎部分や枝部分を単繊維に解繊する前に製作した竹片を染色することによって可能になるほか、竹片を燻蒸することによっても可能になり、燻蒸した場合には、燻蒸の程度により単繊維が茶色ないし焦げ茶色などに変色して着色される。
【００２６】
この実施形態に係るすさの用途は、たとえば、荒壁、中塗り、聚落土壁を例示することができるけれども、その他にも、コンクリート、モルタル、ガラス、ＦＲＰ防水材、屋根材などに拡げることも可能である。
【００２７】
ところで、竹材の主茎部分や枝部分を解繊することよって得られる竹繊維質の集合でなるすさは、天然物であって、従来の化学繊維やガラス繊維のような人造物ではないので、土壁との馴染み性に優れ、人の健康に害を及ぼすような要素も少ないと考えられる。このことから、実施形態のすさは、住宅室内の仕切り壁などに好適に利用することができるものである。
【図面の簡単な説明】
【００２８】
【図１】図１は竹材の主茎部分と枝部分とを示した説明図である。
【図２】竹繊維質の単繊維の説明図である。
【符号の説明】
【００２９】
１  主茎部分
２  枝部分
３  単繊維
【図１】
0003119014.tif 000003
【図２】
0003119014.tif 000004
【手続補正書】
【提出日】平成17年12月5日(2005.12.5)
【手続補正１】
【補正対象書類名】実用新案登録請求の範囲
【補正対象項目名】全文
【補正方法】変更
【補正の内容】
【実用新案登録請求の範囲】
【請求項１】
竹材の主茎部分及び枝部分を解繊することにより得られる乾燥した竹繊維体でなり、前記竹繊維体の繊維長さが１〜６０ｍｍであることを特徴とするすさ。
【請求項２】
竹材の主茎部分及び枝部分を解繊することにより得られる乾燥した竹繊維体でなり、前記竹繊維体の繊維長さが１〜３０ｍｍであることを特徴とするすさ。
【請求項３】
上記竹繊維体が着色処理された着色竹繊維体である請求項１または請求項２に記載したすさ。
【手続補正２】
【補正対象書類名】明細書
【補正対象項目名】全文
【補正方法】変更
【補正の内容】
【考案の詳細な説明】
【技術分野】
【０００１】
本考案は、土層やコンクリート層、ＦＲＰ層といった壁などの用途に用いられる層状物の補強やひび割れ防止などの目的で主材中に混入されるすさに関する。
【背景技術】
【０００２】
「すさ」は古来より塗り土壁の補強や亀裂防止、曲げ強度を向上させるための混入材として用いられており、コンクリートやモルタル、ガラス、ＦＲＰその他の防水材、屋根材などに混入することによって、それらを補強や亀裂防止を図り得ることが知られている。
【０００３】
従来、この種のすさには、稲藁や化学繊維、ガラス繊維などが主に用いられていた。
【０００４】
その一方で、筍や竹の根元から発生する竹の皮を有効利用する方法として、竹の皮を解繊して得た竹繊維を無機質系の建築板や土壁などの建築用材料の補強繊維とすることが提案されている（特許文献１参照）。
【０００５】
【特許文献１】特開２００３−１６６１３７号公報
【考案の開示】
【考案が解決しようとする課題】
【０００６】
しかしながら、稲藁については、現今の状況下で藁の数量自体が不足しているだけでなく、灰汁抜きなどの手間のかかる前処理が必要であることなどに起因して価格が高騰しているという好ましくない実情がある。また、化学繊維については、上記した稲藁のような天然物を用いる場合に比べて非健康的であるほか、土壁のすさとして用いる場合に土主材との馴染み性に乏しいということが云える。ガラス繊維についても化学繊維の場合と同様のことが云える。
【０００７】
一方、特許文献１によって提案されている技術は、建築用材料の補強繊維として竹の皮を用いるというものであり、その竹の皮は筍や竹の根元から採取されるものに限られている。このことから、特許文献１によって提案されているものは、竹の主茎部分を使用対象外としているために、使用対象である竹の皮をいつでも容易に十分な量だけ入手することができるとは限らないということが云える。
【０００８】
本考案は以上の状況の下で鋭意研究を重ねた結果なされたものであり、すさの原料として、特許文献１によって提案されているような筍や竹の根元の竹の皮を用いるものではなく、竹材の主茎部分に着目してその主茎部分や枝部分をすさとして利用することのできる手段を提案することを目的としている。
【０００９】
また、本考案は、いつでも容易に十分な量を入手することが可能であるために安価に提供でき、しかも、土やコンクリートなどの主材に対する馴染み性に優れ、住宅の壁などの補強や亀裂防止のために用いた場合にも人の健康を損なうおそれのないすさを提供することを目的としている。
【００１０】
さらに、本考案は、住宅の壁などの補強や亀裂防止に役立つだけでなく、その壁面の意匠性を高めることにも役立つすさを提供することを目的とする。
【課題を解決するための手段】
【００１１】
本考案に係るすさは、竹材の主茎部分及び枝部分を解繊することにより得られる乾燥した竹繊維体でなり、前記竹繊維体の繊維長さが１〜６０ｍｍであることを特徴とする。竹材の主茎部分は、特許文献１によって示されている筍や竹の根元の皮を含まない竹の本体部分、すなわち節を備えて竹の枝などが分岐している竹の本体を形成している部分である。そのため、この考案に係るすさの原料を、四季を問わずいつでも容易に必要量を入手することが可能である。
【００１２】
本考案では、竹繊維体の繊維長さが１〜６０ｍｍであり、この範囲の長さを有する竹繊維体の竹繊維体は、土壁に混入することによって土壁を補強してその強度を増大させ、亀裂を生じにくくすることに役立つというすさ本来の機能を十分に発揮する。一般的には、この範囲内で繊維長さを変更したり、混入量を変更することによって補強作用や亀裂発生防止作用を変化させることができる。また、土壁などで構築される躯体（下地）の大きさによって繊維長さを変更することが望ましく、大きな躯体の場合には繊維長さを長くし、小さな躯体の場合には繊維長さを短くすることが、補強作用や亀裂発生防止作用を発揮させる上で好ましい。さらに、躯体表面の意匠性を考慮した場合、繊維長さが長すぎると、躯体表面に露出する竹繊維体が目立って見苦しくなる場合も考えられる。
【００１３】
そこで、躯体表面の意匠性を考慮した場合において、躯体表面に露出する竹繊維体が目立なくさせるためには、竹繊維体の繊維長さを１〜３０ｍｍ程度に定める。繊維長さを１．２〜３０ｍｍ程度にしておくと、躯体表面に露出する竹繊維体がほとんど目立たなくなることが判っている。
【００１４】
本考案に係るすさを使用した土壁は、住宅の室内や室外を問わず、あらゆる建造物に使用することができるけれども、好ましい用途としては、和風建築物の壁として用いることによって和風独特の雰囲気が醸し出される。
【００１５】
本考案においては、竹繊維体が着色処理された着色竹繊維体であってもよい。この考案のように竹繊維体が着色処理された着色竹繊維体であれば、その竹繊維体が壁の表面に露出して壁全体の色合いが竹繊維体の着色に見合う色に着色されたり壁表面に色付き模様が具現したりする。そのため、壁の装飾性を高めて人の好みに合わせることが可能になる。竹繊維体の着色は、竹材の主茎部分や枝部分を竹繊維体に解繊する前に製作した竹片を染色することによって可能になるほか、竹片を燻蒸することによっても可能になる。
【考案の効果】
【００１６】
以上のように、本考案によれば、土壁やその他のコンクリート、モルタル、ガラス、ＦＲＰ防水材、屋根材などの層状物の補強作用や亀裂発生防止作用を発揮するすさの原料として、古来より採用されている稲藁や、近時採用されるようになった化学繊維及びガラス繊維に加えて、竹材の主茎部分や枝部分を原料として生産される竹繊維体を新たに提供することが可能になるだけでなく、その層状物に対する馴染み性に優れた天然物でなるすさを提供することが可能になる。
【００１７】
特に、本考案のすさは、特許文献１によって提案されているような筍や竹の根元の竹の皮を用いるものではなく、竹材の主茎部分に着目してその主茎部分や枝部分を解繊して得られる竹繊維体をすさとして利用するものであるので、四季を問わずにいつでも容易に十分な量を入手することが可能になり、そのことが、上記効果の得られるすさを安価に提供することに役立つ。さらに、住宅の内壁や外壁などに混入しておいても、上記した化学繊維やガラス繊維のように人の健康を損なうといったおそれがないという利点を有している。その他にも、本考案に係るすさは、壁に混入しておくことにより壁面の意匠性を高めることにも役立てることができるという利点がある。
【考案を実施するための最良の形態】
【００１８】
本考案に係るすさは、竹材の主茎部分及び枝部分を解繊することにより得られる乾燥した竹繊維体でなり、前記竹繊維体の繊維長さが１〜６０ｍｍであることを特徴とする。竹材は竹林で伐採することによって入手することができる。竹材の主茎部分は、特許文献１によって示されている筍や竹の根元の皮を含まない竹の本体部分、すなわち節を備えて竹の枝などが分岐している竹の本体を形成している部分である。また、枝部分は、主茎部分から分岐している部分である。竹は１年足らずで成育する植物であるので、四季を問わずに入手することができ、その量も容易にかつ十分に確保することができる。
【００１９】
図１には竹材を示していて、１は主茎部分、２は枝部分であり、この実施形態では、それらの主茎部分１や枝部分２を材料としてすさの原料となる竹繊維体を製造する。
【００２０】
図２にはすさの原料として用いられる竹繊維体３を説明的に示してある。竹繊維体３は、たとえば、竹林から伐採した竹材の主茎部分１や枝部分２を取り扱いやすい長さに切って竹片とし、その竹片を水洗いした後に乾燥し、乾燥した竹片を、粉砕、破砕、爆砕、打砕、切削、圧砕などの公知の手段を採用して解繊することによって得られる。また、竹繊維体３の製造工程中には、必要に応じて、不要な竹粉を篩落として取り除くという分篩も含まれる。
【００２１】
すさの使用対象が土壁である場合には、竹材の主茎部分１や枝部分２を解繊することによって得られた竹繊維体３の繊維の長さＬを１〜６０ｍｍに揃え、すさとして用いられる竹繊維体３の繊維の長さの分布状況は、土壁の大きさなどによって適切に選定すべきであり、たとえば、大きな土壁のすさとして用いるときには、長い繊維を多く含むような分布状況を採用し、小さな土壁のすさとして用いるときには、短い繊維を多く含むような分布状況を採用することが考えられる。繊維長さＬが１ｍｍよりも短いと、補強作用や亀裂発生防止作用を得にくくなり、その逆に、繊維長さＬが６０ｍｍより長いと、補強作用や亀裂発生防止作用を高めやすいけれども、その反面で、土壁の表面に長いすさが露出して見栄えが極端に低下したりしやすい。たとえば、土壁などの躯体表面の意匠性を考慮した場合、繊維長さが長すぎると、躯体表面に露出する竹繊維体３が目立って見苦しくなる場合も考えられる。
【００２２】
特に、繊維長さを１．２〜３０ｍｍ程度にしておくと、躯体表面に露出する竹繊維体３がほとんど目立たなくなる。その結果、この範囲内で繊維の長さの分布状況を適切に定めておくと、たとえば、土壁では、その表面でのすさの露出量が少なくなって表面平滑性が高くなる。
【００２３】
土壁などの躯体でのすさの混入量は、一義的に定めることは困難であり、混入量が多いとしっかりとした強固な躯体が得られて、その躯体がばらばらに崩れるおそれが少なくなる。その反面、混入量が少ないと躯体の強度が低下する。したがって、一般的に、大形の躯体では混入量を増やし、小形の躯体では混入量を少なくするという手法を採用することが可能である。
【００２４】
竹繊維体３でなるすさは、住宅の室内や室外を問わず、あらゆる建造物に使用することができるけれども、好ましい用途としては、和風建築物の壁としての用途があり、その用途に用いることによって和風独特の雰囲気を醸し出しやすいという長所が得られる。
【００２５】
着色処理された竹繊維体３を含ませると、着色された竹繊維体３が壁の表面に露出して壁全体の色合いが竹繊維体３の着色に見合う色に着色されたり壁表面に色付き模様が具現したりする。このことを利用することにより、壁の装飾性を高めて人の好みに合わせることが可能になる。竹繊維体３の着色は、竹材の主茎部分や枝部分を竹繊維体３に解繊する前に製作した竹片を染色することによって可能になるほか、竹片を燻蒸することによっても可能になり、燻蒸した場合には、燻蒸の程度により竹繊維体３が茶色ないし焦げ茶色などに変色して着色される。
【００２６】
この実施形態に係るすさの用途は、たとえば、荒壁、中塗り、聚落土壁を例示することができるけれども、その他にも、コンクリート、モルタル、ガラス、ＦＲＰ防水材、屋根材などに拡げることも可能である。
【００２７】
ところで、竹材の主茎部分や枝部分を解繊することよって得られる竹繊維体３でなるすさは、天然物であって、従来の化学繊維やガラス繊維のような人造物ではないので、土壁との馴染み性に優れ、人の健康に害を及ぼすような要素も少ないと考えられる。このことから、実施形態のすさは、住宅室内の仕切り壁などに好適に利用することができるものである。
【図面の簡単な説明】
【００２８】
【図１】図１は竹材の主茎部分と枝部分とを示した説明図である。
【図２】竹繊維体の説明図である。
【符号の説明】
【００２９】
１  主茎部分
２  枝部分
３  竹繊維体